(57)【要約】【課題】タスク用照明器具とベース用照明器具を備えた室内において、人の活動や作業に必要な快適な照明環境を確保しつつ、省エネルギー化を図る。【解決手段】照明システムは、予め設定したエリア内の主に水平面の照度を確保するタスク用照明器具１０と、予め設定された個所の主に鉛直面の照度、若しくは鉛直方向の輝度を確保するベース用照明器具２０と、予め設定したエリア内の人の存否と顔の向きを検知する人検知部４０と、人検知部４０によって検知した人の存否に応じてタスク用照明器具１０を点灯制御すると共に、人検知部４０によって検知した顔の向きに応じてベース用照明器具２０を点灯制御する制御部３０を備えて構成する。【選択図】図１
2010123534.tif 000002
【特許請求の範囲】
【請求項１】
室内に設置した複数の照明器具を点灯制御する照明システムであって、
設置した位置よりも低い略水平面を照明する１ないし複数のタスク用照明器具と、
前記タスク用照明器具が照明する以外の領域を照明する複数のベース用照明器具と、
前記室内における人の存否を検知する人検知センサと、
前記室内における人の顔の向きを検知する顔認識センサと、
前記人検知センサ及び顔認識センサの検知結果に基づいて、前記タスク用照明器具および前記ベース用照明器具を点灯制御する制御部と、
を備える、
照明システム。
【請求項２】
請求項１に記載の照明システムであって、
前記制御部は、
前記人検知センサで人が検知されないときは、前記タスク用照明器具を消灯させ、
前記人検知センサで人が検知されたときは、前記タスク用照明器具を点灯させると共に、前記顔認識センサで検知された顔の向いた方向の前記ベース用照明器具を点灯させる、
照明システム。
【請求項３】
請求項１又は２に記載の照明システムであって、
前記室内を複数のエリアに区分し、
前記人検知センサ及び前記顔認識センサは、前記エリア毎に設置し、
前記制御部は、
前記エリアの前記人検知センサの検知結果に応じて、当該エリアの前記タスク用照明器具を点灯制御し、
前記エリアの前記顔認識センサの検知結果に応じて、全ての前記エリアの前記ベース用照明器具を点灯制御する、
照明システム。
【請求項４】
請求項１乃至３のいずれかに記載の照明システムであって、
前記制御部は、
前記人検知センサ及び前記顔認識センサが、それぞれ人及び顔の向きを検知してから所定時間の経過後に、同じ検知状態を継続していない場合には、
前記タスク用照明器具及び前記ベース用照明器具の点灯制御状態を変更する、
照明システム。
【発明の詳細な説明】
【技術分野】
【０００１】
本発明は、室内における人の存否および顔の向きを検知し、検知結果に基づいて、タスク用照明器具およびダウン用照明器具の点灯制御を行う照明システムに関する。
【背景技術】
【０００２】
従来から、室内の照明エリアの低い略水平面を照射するためのシーリングライトやダウンライト、スポットライト等のタスク用照明器具と、その他の領域を照明するためのダウンライトやスポットライト、ブラケット、建築化照明におけるコーニス照明等のベース用照明器具とを備えた照明システムが知られている。
【０００３】
このような照明システムでは、照明器具を点灯制御する制御部を備え、天井などに設置された人検知センサによって人の存否や位置を検知し、人がいないと検知された時にはタスク用照明器具とベース用照明器具の一方、又は双方を消灯させ、人検知センサによって人がいると検知された時には照明器具の全てを点灯させるようにしている。この照明システムによれば、照明器具の全てを常に点灯させる場合に比べ、消費電力を低減することができる。
【０００４】
上記従来の照明システムは、人がいる領域だけではなく、人がいない領域も含めた室内全体で、人が室内で行う各種の活動や作業に必要な照度レベルを維持している。このため、人がいない領域の照明は、電力の無駄な使用となっている。
【０００５】
これらのことから、人の存否のみならず、人が室内で行う各種の活動や作業に応じて、タスク用照明器具及びベース用照明器具を個々に点灯制御することが可能な照明システムが望まれる。しかしながら、リビングルームのように複数のタスク用照明器具およびベース用照明器具を備えた室内の場合、このようなきめ細かな制御を行うことは、煩雑を伴い困難であった。また、顔の向いた方向、若しくは視線がある方向に光を照射しようとしても、効果的な点灯制御を行うことは至難であった。
【発明の開示】
【発明が解決しようとする課題】
【０００６】
本発明は、上記の事情に鑑みてなされたもので、タスク用照明器具とベース用照明器具を備えた室内において、人の活動や作業に必要な快適な照明環境を確保しつつ、省エネルギー化が可能な照明システムを提供することを目的とする。
【課題を解決するための手段】
【０００７】
本発明は、室内に設置した複数の照明器具を点灯制御する照明システムであって、設置した位置よりも低い略水平面を照明する１ないし複数のタスク用照明器具と、前記タスク用照明器具が照明する以外の領域を照明する複数のベース用照明器具と、前記室内における人の存否を検知する人検知センサと、前記室内における人の顔の向きを検知する顔認識センサと、前記人検知センサ及び顔認識センサの検知結果に基づいて、前記タスク用照明器具および前記ベース用照明器具を点灯制御する制御部と、を備えるものである。
【０００８】
この構成により、人検知センサによって検知される人の存否のみならず、顔認識センサによって人が室内で行う各種の活動や作業に応じて、タスク用照明器具及びベース用照明器具を個々に点灯制御するので、快適な照明環境を確保することができると共に、省エネルギー化が可能となる。
【０００９】
また、本発明は、上記の照明システムにおいて、前記制御部は、前記人検知センサで人が検知されないときは、前記タスク用照明器具を消灯させ、前記人検知センサで人が検知されたときは、前記タスク用照明器具を点灯させると共に、前記顔認識センサで検知された顔の向いた方向の前記ベース用照明器具を点灯させるものを含む。
【００１０】
この構成により、人検知センサによって検知される人の存否のみならず、顔認識センサによって人が室内で行う各種の活動や作業に応じて、タスク用照明器具及びベース用照明器具を個々に点灯制御するので、快適な照明環境を確保することができると共に、省エネルギー化が可能となる。
【００１１】
また、本発明は、上記の照明システムにおいて、前記室内を複数のエリアに区分し、前記人検知センサ及び前記顔認識センサは、前記エリア毎に設置し、前記制御部は、前記エリアの前記人検知センサの検知結果に応じて、当該エリアの前記タスク用照明器具を点灯制御し、前記エリアの前記顔認識センサの検知結果に応じて、全ての前記エリアの前記ベース用照明器具を点灯制御するものを含む。
【００１２】
この構成により、例えば、リビングルーム及びダイニングルーム毎に、タスク用照明器具及びベース用照明器具を点灯制御することができるので、人が各ルームで行う各種の活動や作業に応じた快適な照明環境を確保しつつ、省エネルギー化が可能となる。
【００１３】
更に、本発明は、上記の照明システムにおいて、前記制御部は、前記人検知センサ及び前記顔認識センサが、それぞれ人及び顔の向きを検知してから所定時間の経過後に、同じ検知状態を継続していない場合には、前記タスク用照明器具及び前記ベース用照明器具の点灯制御状態を変更するものも含む。
【００１４】
この構成により、人検知センサ及び前記顔認識センサによって人及び顔を検知してから所定時間が経過しない間は、例え室内に人がいなくなってもタスク用照明器具及びベース用照明器具の点灯を継続し、所定時間が経過すると速やかに消灯することができるので、快適な照明環境を確保しつつ、より一層の省エネルギー化が可能となる。
【発明の効果】
【００１５】
本発明によれば、タスク用照明器具とベース用照明器具を備えた室内において、人の活動や作業に必要な快適な照明環境を確保しつつ、省エネルギー化が可能な照明システムを提供できる。
【発明を実施するための最良の形態】
【００１６】
以下、本発明の実施形態に係る照明システムについて、図面を用いて説明する。
【００１７】
図１は、本発明の実施の形態に係る照明システムの概略構成を示す図である。本実施形態の照明システムは、タスク用照明器具１０、ベース用照明器具２０、制御部３０、人検知部４０を有する構成である。
【００１８】
タスク用照明器具１０は、室内や予め設定したエリアの主に水平面の照度を確保するために設置するシーリングライト、ダウンライト、スポットライト等の照明器具である。光源としては、蛍光灯、白熱灯、ＬＥＤランプ等が用いられる。
【００１９】
このタスク用照明器具１０は、人検知部４０によって室内に人がいることが検出された場合に点灯する。
【００２０】
ベース用照明器具２０は、室内やエリアの予め設定した個所、例えば壁など鉛直面の照度、若しくは、天井など鉛直方向の輝度を確保するために設置するダウンライト、スポットライト、ブラケット、及び建築化照明であるコーブ照明やコーニス照明等の照明器具である。光源には、蛍光灯、白熱灯、ＬＥＤランプ等が用いられる。
【００２１】
このベース用照明器具１０は、人検知部４０によって検知した顔の向きに応じて点灯し、視野方向の明るさ感を確保するものである。
【００２２】
制御部３０は、マイコンシステムから構成され、人検知部４０によって検知した人の存否および顔の向きに応じて、タスク用照明器具１０及びベース用照明器具２０の点灯および消灯を制御する。
【００２３】
人検知部４０は、人検知センサ４１、顔認識センサ４２、演算部４３を備える構成である。
【００２４】
人検知センサ４１は、赤外線センサ、ＣＣＤカメラやＣＭＯＳカメラ等の撮像装置から構成され、室内や予め設定したエリアの中央上部や側方、例えば天井や壁に設置して、室内やエリア内における人の存否を検知するものである。
【００２５】
ここで、人検知センサ４１によって人を検知する方法について説明する。人検知方法には、例えば、背景差分法やフレーム間差分法がある。
【００２６】
背景差分法は、図２に示すように、予め用意した基準画像（背景画像）Ａと、室内やエリアを撮像した評価画像Ｂの差分を抽出し、２値化することによって検知対象の人Ｃを検知するものである。
【００２７】
一方、フレーム間差分法は、時刻（ｔ）における入力画像と、時刻（ｔ―ｎ）における入力画像との間の差分をとることにより、検知対象の人を検出するものである。
【００２８】
顔認識センサ４２は、ＣＣＤカメラ、ＣＭＯＳカメラ、赤外線カメラ等の撮像装置から構成され、人検知センサ４１と一体化して設置し、人検知センサ４１によって検知した人の顔や視線の向きを認識するものである。なお、この顔認識センサ４２は、人検知センサ４１に撮像装置を用いることにより共用が可能である。
【００２９】
演算部４３は、マイコンシステムから構成され、人検知センサ４１の検知結果に基づいて人の存否を判定すると共に、顔認識センサ４２の検知結果に基づいて顔や視線の向きを判定する。
【００３０】
図３と図４は、本発明の実施の形態に係る照明システムを用いる室内の状態を説明するためのそれぞれ斜視図と平面図であり、予め設定するエリアがそれぞれ一つ、及び複数の場合である。
【００３１】
図３における照明システムは、室内Ｒ１の天井に取り付けられ、エリアＳにおける人の存否および顔の向きを検知する人検知部４０と、天井に設置され、人検知部４０によってエリアＳに人が検知された場合に、エリアＳを照明するタスク用照明のシーリングライト１１と、壁面に設置され、人検知部４０によって検知される顔の向きに応じて壁面と天井の一部を照明するベース用照明のブラケット２１、２２、スポットライト２３、２４、及び建築化照明としてのコーニス照明２５を備えている。
【００３２】
図４における照明システムは、室内Ｒ２のリビングルームであるＡエリアＳａにおいて、天井に設置され、エリアＳａにおける人の存否を検知する不図示の人検知センサ及び顔の向きを検知する不図示の顔認識センサからなる人検知部４０ａと、同じく天井に設置され、人検知部４０ａによって検知される人の存否に応じて点灯、又は消灯するタスク用照明１１ａと、三方の壁面にそれぞれ設置され、人検知部４０ａによって検知される顔の向きに応じて点灯、又は消灯するベース用照明２１ａ〜２３ａを有して構成される。
【００３３】
また、室内Ｒ２のダイニングルームであるＢエリアＳｂにおいて、天井に設置され、ＢエリアＳｂにおける人の存否および顔の向きを検知する人検知部４０ｂと、同じく天井に設置され、人検知部４０ｂによって検知される人の存否に応じて点灯、又は消灯するタスク用照明１１ｂと、三方の壁面にそれぞれ設置され、人検知部４０ｂによって検知される顔の向きに応じて点灯、又は消灯するベース用照明２１ｂ〜２３ｂを更に有して構成される。
【００３４】
なお、タスク用照明１１ａ、１１ｂは水平面照度で規定され、ベース用照明２１ａ〜２３ａ、２１ｂ〜２３ｂは鉛直面照度、又は鉛直方向の輝度が確保されている。
【００３５】
また、タスク用照明１１ａ、１１ｂは、人検知部４０ａ、４０ｂがＣＣＤカメラ、ＣＭＯＳカメラ等の撮像装置である場合は、室内Ｒ１又はＲ２にいる人の行動を撮像した画像から判断して、例えば、座っているだけの場合はほんのりと点灯し、読書等視認を必要とする行動の場合は全光点灯する等、明るさを制御してもよい。
【００３６】
次に、本発明の実施の形態に係る照明システムの動作について、例を挙げて説明する。図５〜図７は、動作例を説明するための室内の平面図である。なお、照明システムの構成は、図４において示したものと同じであり、同一の符号を付して説明を省略する。
【００３７】
（第１の動作例）
第１の動作例は、一方のエリアに人が入り、その後エリア内を移動した場合における照明システムの動作である。図５は、第１の動作例における照明システムの動作を説明するための平面図である。
【００３８】
図５（ａ）において、人検知部４０ａによってＡエリアＳａに人Ｍ１が入ったことを検知すると、図１に示した制御部３０によってタスク用照明１１ａを点灯させる。また、人Ｍ１の顔がＡエリアＳａの中央を向いて視野Ｅ１がその方向にあることを人検知部４０ａが検知することにより、制御部３０はベース用照明２１ａ〜２３ａを点灯させる。
【００３９】
このとき、人検知部４０ｂによってＢエリアＳｂには人がいないことを検知しているので、制御部３０はタスク用照明１１ｂを消灯させる。しかし、人検知部４０ａによって人Ｍ１の視線Ｅ１の一部がＢエリアＳｂに及んでいることが検知されるので、ベース用照明２１ｂ〜２３ｂは全て点灯させる。
【００４０】
図５（ｂ）において、人Ｍ１がＡエリアＳａ内で移動し、中央部でベース用照明２３ａの方向を向いて静止した場合は、人検知部４０ａによって検知される人の存否は不変であるので、制御部３０によるタスク用照明１１ａは点灯のままである。また、人検知部４０ａによって検知される顔の向きは視野Ｅ１がベース用照明２１ａ〜２３ａの方向を含んでいるので、ベース用照明２１ａ〜２３ａも点灯のままである。
【００４１】
一方、人検知部４０ａによって人Ｍ１の顔の向きに伴う視線Ｅ１がＢエリアＳｂを全く向いていないことを検知すると、制御部３０によってベース用照明２１ｂ〜２３ｂを全て消灯させる。このとき、人検知部４０ｂは人を検知していないので、タスク用照明１１ｂは消灯のままである。
【００４２】
（第２の動作例）
第２の動作例は、一方のエリアに静止していた人がエリア内を移動して、顔を他方のエリアに向けた場合における照明システムの動作である。図６は、第２の動作例における照明システムの動作を説明するための平面図である。
【００４３】
図６（ａ）に示す室内Ｒ２の状態は、第１の動作例において示した図５（ｂ）と同じであり、説明を省略する。
【００４４】
図６（ｂ）において、ＡエリアＳａにいる人Ｍ１が、静止の状態からベース用照明２１ａ付近に移動して顔をＢエリアＳｂに向けた場合は、人検知部４０ａによって検知される人Ｍ１の存否は不変であるので、制御部３０によるタスク用照明１１ａは点灯のままである。また、人検知部４０ａによって検知される顔の向きはベース用照明２１ａ〜２３ａの方向から大きく外れているので、ベース用照明２１ａ〜２３ａは一定時間点灯した後、消灯する。
【００４５】
また、人検知部４０ａによってＡエリアＳａにいる人Ｍ１の視線Ｅ１がＢエリアＳｂを向いていることが検知されると、制御部３０によってベース用照明２１ｂ〜２３ｂを全て点灯させる。このとき、人検知部４０ｂは人を検知していないので、タスク用照明１１ｂは消灯のままである。
【００４６】
（第３の動作例）
第３の動作例は、一方エリアに複数の人がいて、その後に一人が他方のエリアに移動した場合における照明システムの動作である。図７は、第３の動作例における動作例における照明システムの動作を説明するための平面図である。
【００４７】
図７（ａ）において、人検知部４０ａによってＡエリアＳａに二人の人Ｍ１、Ｍ２がいることを検知すると、図１に示した制御部３０によってタスク用照明１１ａを点灯させる。また、人検知部４０ａによって人Ｍ１の顔がＡエリアＳａの中央に向き視野Ｅ１にベース用照明２１ａ〜２３ａが入っていることを検知すると、制御部３０はベース用照明２１ａ〜２３ａを全て点灯させる。
【００４８】
また、人検知部４０ｂによってＢエリアＳｂにおける人の存在は検知されないものの、人検知部４０ａによって人Ｍ２の顔がＢエリアＳｂを向き、その視線Ｅ２がベース用照明２１ｂ、２３ｂを向いていることが検知される。
【００４９】
これにより、図１に示した制御部３０によってＢエリアＳｂのタスク照明２１ｂは消灯し、ベース用照明２１ｂ、２３ｂが点灯するよう制御される。
【００５０】
次いで、図７（ｂ）において、人Ｍ２がＢエリアＳｂに移動して顔をＡエリアＳａに向けた状態で静止すると、検知部４０ｂはＢエリアＳｂにおける人Ｍ２の存在と、顔の向きがベース用照明２３ｂを向いていないことを検知する。
【００５１】
これによって、制御部３０はＢエリアＳｂのタスク照明２１ｂを点灯し、ベース用照明２１ｂ、２２ｂを点灯させるとともに、ベース用照明２３ｂを消灯させる。
【００５２】
以上説明したように、このような本発明の実施形態に係る照明システムによれば、タスク用照明器具とベース用照明器具を備えた室内において、人と存否を検知する人検知センサと、顔の向きを検知する顔認識センサと、人検知センサ及び顔認識センサの検知結果に応じてタスク用照明器具とベース用照明器具を点灯制御する制御部を備え、人検知センサで人が検知されたときには、タスク用照明器具を点灯させると共に、顔認識センサで検知された顔の向いた方向のベース用照明器具を点灯させる。
【００５３】
これにより、人が室内で行う各種の活動や作業に応じて、タスク用照明器具及びベース用照明器具を個々に点灯制御することができ、快適な照明環境を確保しつつ、省エネルギー化が可能となる。
【図面の簡単な説明】
【００５４】
【図１】本発明の実施の形態に係る照明システムの概略構成を示す図
【図２】本発明の実施の形態に係る照明システムの人の存否を検知する方法を示す説明図
【図３】本発明の実施の形態に係る照明システムを用いる室内の状態を説明するための斜視図
【図４】本発明の実施の形態に係る照明システムを用いる室内の状態を説明するための平面図
【図５】本発明の本発明の実施の形態に係る照明システムの第１の動作例における照明システムの動作を説明するための平面図であり、（ａ）は一方のエリアに人が一人いる場合、（ｂ）はその人が移動して静止した場合である。
【図６】本発明の本発明の実施の形態に係る照明システムの第２の動作例における照明システムの動作を説明するための平面図であり、（ａ）は一方のエリアに人が一人静止している場合、（ｂ）はその人が移動した場合である。
【図７】本発明の本発明の実施の形態に係る照明システムの第２の動作例における照明システムの動作を説明するための平面図であり、（ａ）は一方のエリアに複数の人がいる場合、（ｂ）はそのうちの一人が他のエリアに移動した場合である。
【符号の説明】
【００５５】
１０、１１、１１ａ、１１ｂ  タスク用照明器具
２０、２１〜２５、２１ａ〜２３ａ、２１ｂ〜２３ｂ  ベース用照明器具
３０  制御部
４０、４０ａ、４０ｂ  人検知部
４１  人検知センサ
４２  顔認識センサ
Ｒ１、Ｒ２  室内
Ｓ、Ｓａ、Ｓｂ  エリア
【図１】
2010123534.tif 000003
【図２】
2010123534.tif 000004
【図３】
2010123534.tif 000005
【図４】
2010123534.tif 000006
【図５】
2010123534.tif 000007
【図６】
2010123534.tif 000008
【図７】
2010123534.tif 000009